(57)【要約】【課題】  モジュール解析の時間短縮及び労力の軽減を行うことができる印刷装置を提供する。【解決手段】  読み取り装置１、画像処理を行う集積回路３、画像データを蓄積するメモリ４、書き込み装置２を備え、集積回路内部の各処理モジュール１１に、それぞれ異なる印刷領域に簡易なパターンを発生させるパターン発生回路１２を組み込む。またパターン生成部１２は、主走査レジスタ２１、副走査レジスタ２２、主走査カウンタ２３、副走査カウンタ２４、マルチプレクサ２５からなる比較的簡単なものであり、印刷用紙のそれぞれ異なる印刷領域に簡易なパターンを発生させるようになっている。【選択図】        図３
2005225134.tif 000002
【特許請求の範囲】
【請求項１】
読み取り装置、画像処理を行う集積回路、画像データを蓄積するメモリ、書き込み装置を備え、集積回路内部の各処理モジュールに、それぞれ異なる印刷領域に簡易なパターンを発生させるパターン発生回路を組み込むことを特徴とする印刷装置。
【請求項２】
請求項１の印刷装置において、パターンをカラーにすることを特徴とする印刷装置。
【請求項３】
請求項１の印刷装置において、パターンを対象モジュール名の文字パターンにすることを特徴とする印刷装置。
【請求項４】
請求項１の印刷装置において、パターンのデータを表示装置に出力することを特徴とする印刷装置。
【請求項５】
請求項１の印刷装置において、パターン発生中のゲート信号を、各処理モジュールから集積回路の外部端子に出力し、基板上でその信号を確認することを特徴とする印刷装置。
【発明の詳細な説明】
【技術分野】
【０００１】
本発明は、複写機、プリンタ、ファクシミリ装置などの印刷装置に関する。
【背景技術】
【０００２】
複写機等の印刷装置において、読み取り装置１から読み取ったデータに対して画像処理を行った上で書き込み装置２から出力する際、画像処理回路等はＡＳＩＣ３のような集積回路として１チップ化されている（図１３参照）。
この時、読み取り装置１とＡＳＩＣ３、ＡＳＩＣ３と書き込み装置２の間の信号は、それぞれオシロスコープやロジックアナライザ等の波形表示装置において観測することができるが、ＡＳＩＣ３内部で不具合が発生している場合は、どこで不具合になっているのかを判断することが困難になっている。
そこで、例えば、特許文献１記載のように、入力部でテストパターンを発生させて、その結果をメモリに蓄積して処理した結果と比較して判断するような回路が提案されていた。
【特許文献１】特開平８−１５２８６７号公報
【発明の開示】
【発明が解決しようとする課題】
【０００３】
しかし、上記の従来技術の場合、先頭で生成されたパターンをいくつかの処理モジュールにて処理した後のデータと比較するのでは、どのモジュールが不具合個所なのか判断がしにくかった。
本発明は、モジュール解析の時間短縮及び労力の軽減を行うことができる印刷装置を提供することを目的とする。
【課題を解決するための手段】
【０００４】
上記目的を達成するために、請求項１記載の発明は、読み取り装置、画像処理を行う集積回路、画像データを蓄積するメモリ、書き込み装置を備え、集積回路内部の各処理モジュールに、それぞれ異なる印刷領域に簡易なパターンを発生させるパターン発生回路を組み込む印刷装置を最も主要な特徴とする。
請求項２記載の発明は、請求項１の印刷装置において、パターンをカラーにする印刷装置を主要な特徴とする。
請求項３記載の発明は、請求項１の印刷装置において、パターンを対象モジュール名の文字パターンにする印刷装置を主要な特徴とする。
請求項４記載の発明は、請求項１の印刷装置において、パターンのデータを表示装置に出力する印刷装置を主要な特徴とする。
請求項５記載の発明は、請求項１の印刷装置において、パターン発生中のゲート信号を、各処理モジュールから集積回路の外部端子に出力し、基板上でその信号を確認可能とした印刷装置を主要な特徴とする。
【発明の効果】
【０００５】
本発明によれば、パターンを直接発生させて印刷を行うことで、どの印刷領域のパターンに問題があるか、即ちどの処理モジュールに不具合があるかを一目で判断できるため、解析の時間短縮及び労力の軽減を図ることができる。
【発明を実施するための最良の形態】
【０００６】
以下、本発明の実施の形態を図面に基づいて説明する。
【実施例１】
【０００７】
図１は本発明の印刷装置の構成図、図２は各処理のパッチパターンを示す図、図３は本発明の印刷装置におけるＡＳＩＣの処理モジュールの構成図、図４は図３に示すパターン発生部の構成図、図５は処理Ｃモジュールで不具合が生じている様子を示す図である。
図１に示すように本印刷装置は、読み取り装置１、書き込み装置２、ＡＳＩＣ（集積回路）３、メモリ４を備えている。図３に示すように、ＡＳＩＣ（集積回路）３内の各処理モジュール１１はパターン発生部１２を有しており、各処理モジュール１１で行う画像処理の前に、パターン発生部１２によって比較的簡単なパッチパターン（図２の処理Ａのパターン）を組み込む。
パターン生成部１２は、図４に示すように、主走査レジスタ２１、副走査レジスタ２２、主走査カウンタ２３、副走査カウンタ２４、マルチプレクサ２５からなる比較的簡単なものであり、印刷用紙のそれぞれ異なる印刷領域に簡易なパターンを発生させるようになっている。
パターン生成部１２の動作としては、主走査レジスタ２１により印刷領域における主走査のどの位置にパターンを発生させるかの設定を行ない、副走査レジスタ２２により印刷領域における副走査のどの位置にパターンを発生させるかの設定を行うと、図１に示す読み取り装置１で読み取られたデータがＡＳＩＣ３に取り込まれ、処理Ａモジュール１１−１では、上記読み取られたデータに、図４の回路にて予め設定された位置のデータを、マルチプレクサ２５にて合成して強制的にＨｉｇｈとすることで、図２に示すような処理Ａのパターンを発生させる。
同様に、図３の処理Ｂモジュール１１−２では、処理Ａモジュール１１−１とは違う位置に処理Ｂのパターンを発生させるようにパターン生成部１２を設定することで、図２のように各処理モジュール１１が、別々の位置にパターンを発生させることができる。
最後の処理モジュール１１（図２に対応させると処理Ｆモジュール）から出力されたデータは、図１で示すように、一度メモリ４に蓄積され、その後、書き込み装置２のタイミングによって読み出され、紙出力される。このような構成にすることにより、例えば図５のような出力が得られた時、処理Ｃのモジュールで不具合が起きていると言うことが容易に判断できる。なお、図６は処理Ｂモジュールで不具合が生じている様子を示す図である。
【実施例２】
【０００８】
図７は実施例２におけるそれぞれ３色に色分けされたパターン発生部を示す図である。この実施例２では、実施例１と同様に、ＡＳＩＣ３内部の不具合を判断するために、パターンをカラーにし、かつ図７のように３色（Ｒ、Ｇ、Ｂ）分の色データ用レジスタ２６ａ、２６ｂ、２６ｃをそれぞれ有するパターン発生部１２−１、１２−２、１２−３を持ち、それぞれの色情報をレジスタ２６ａ、２６ｂ、２６ｃにライトしておけるような回路構成とすることで、不具合を生じたのがどの処理モジュール１１かが色で判断できるため、どの処理モジュール１１で不具合が起きているかを更に容易に判断することができる。
【実施例３】
【０００９】
図８は実施例３における各処理の文字パターンを示す図、図９はそのパターン発生部の構成図である。この実施例３では、実施例１と同様に、ＡＳＩＣ３内部の不具合を判断するために、カラーで且つ文字パターンを発生させるようにするため、図９のように各パターン発生部１２に文字パターンを蓄積できるＳＲＡＭ２７を設ける。このようにすることで、どの処理モジュール１１が不具合を生じているか文字で判断でき、的確に不具合の起こっている処理モジュール１１を特定することができる。
【実施例４】
【００１０】
図１０は本発明の実施例４における印刷装置の構成図である。この実施例４では、実施例１と同様に、ＡＳＩＣ３内部の不具合を判断するために、図１０のように、メモリ４の内容をモニター等の表示装置５に出力させる構成にすることで、印刷装置から紙を出力することなく、どの処理モジュール１１で不具合が生じているかが判断でき、紙資源の節約を図り、不具合の起こっている処理モジュール１１を的確に特定することができる。
【実施例５】
【００１１】
図１１は実施例５におけるパターン発生部の構成図、図１２は本発明の実施例５における印刷装置の構成図である。この実施例５では、実施例１と同様に、ＡＳＩＣ３内部の不具合を判断するために、図１１のように、パターン発生部１２にて生成したゲート信号を各処理モジュールそれぞれＡＳＩＣ３の外部端子に出力する構成とし、図１２のようにそれぞれの処理モジュール１１のゲート信号をトリガにロジックアナライザ等の計測器６を用いて、ゲートアサート中にメモリ書き込みデータ観測することで、どの処理モジュール１１がデータを壊しているかが判断でき、不具合の起こっている処理モジュールを的確に特定することができる。
【図面の簡単な説明】
【００１２】
【図１】本発明の印刷装置の構成図。
【図２】各処理のパッチパターンを示す図。
【図３】本発明の印刷装置におけるＡＳＩＣの処理モジュールの構成図。
【図４】図３に示すパターン発生部の構成図。
【図５】処理Ｃモジュールで不具合が生じている様子を示す図。
【図６】処理Ｂモジュールで不具合が生じている様子を示す図。
【図７】３色分のパターン発生部を示す図。
【図８】各処理の文字パターンを示す図。
【図９】文字パターン発生部の構成図。
【図１０】本発明の印刷装置の他の構成図。
【図１１】パターン発生部の他の構成図。
【図１２】本発明の印刷装置の他の構成図。
【図１３】一般的な印刷装置の構成図。
【符号の説明】
【００１３】
１  読み取り装置
２  書き込み装置
３  集積回路
４  メモリ
１１  処理モジュール
１２  パターン発生部（パターン発生回路）
【図１】
2005225134.tif 000003
【図２】
2005225134.tif 000004
【図３】
2005225134.tif 000005
【図４】
2005225134.tif 000006
【図５】
2005225134.tif 000007
【図６】
2005225134.tif 000008
【図７】
2005225134.tif 000009
【図８】
2005225134.tif 000010
【図９】
2005225134.tif 000011
【図１０】
2005225134.tif 000012
【図１１】
2005225134.tif 000013
【図１２】
2005225134.tif 000014
【図１３】
2005225134.tif 000015